(57)【要約】【課題】  経済的で無駄が少なく効率的な、新しい改良体の形状および組合せを提供する。【解決手段】  硬化剤液又は硬化剤を含む水の高圧ジェットを地中に挿入したロッド先端部のノズルから噴射しながらロッドを揺動し、ロッドを引き抜くか挿入することによって地中に形成される改良体において、一辺の距離をａとした正三角形を２個乃至は４個内接配置された断面形状が所定半径ａの内角が略１２０度乃至は略２４０度の扇形改良体を複数個直線または曲線の所定方向に配置された改良体の形状および組合せとした。【選択図】  図５
0003115498.tif 000002
【実用新案登録請求の範囲】
【請求項１】
硬化剤液又は硬化剤を含む水の高圧ジェットを地中に挿入したロッド先端部のノズルから噴射しながらロッドを揺動し、ロッドを引き抜くか挿入することによって地中に形成される改良体において、一辺の距離をａとした正三角形を２個乃至は４個内接配置され、断面形状が所定半径ａで内角が略１２０度乃至は略２４０度の扇形改良体を複数個直線または曲線の所定方向に配置した改良体の形状および組合せ。
【請求項２】
ロッド先端部に設けた一個または複数個のノズルから所定方向に硬化剤液又は硬化剤を含む水の高圧ジェットを噴射する手段と、所定の角度および所定の速度でロッドを揺動、旋回する手段と、ロッドを所定速度で地中に挿入および引き抜く手段を有し、かつ請求項１に対応した手段を備えた改良体の形状および組合せの形成装置。
【考案の詳細な説明】
【技術分野】
【０００１】  本考案は、地盤の安定、地山支保、トンネル支保工、構築物の基礎、構築物の基礎補強、液状化防止、遮水用地中壁、地下水湧水防止などを目的として用いられる硬化剤を地中に噴射して地盤と混練して地中に造成される改良体の形状および組合せに関するものである。
【背景技術】
【０００２】  地中に硬化剤を噴射して地中に固結体を形成する従来の技術は、ロッドの先端に設けた一箇所ないしは数箇所のノズルから硬化剤を噴射しながらロッドを一定方向に回転させるもので、その理論から、形成される改良体の形状は、断面形状が円形のものであった。さらに、昨今の都市部地下工事においては、既設の配管や構築物が多数あるため、改良体の形状は断面が円形では組合せの種類も少なく、配置上やむなく不必要部にまで改良体が形成されるケースも多くなり、不経済である上、環境面からも好ましくない問題となっている。また地下工事のうちシールド工事の様な曲線改良部には対応が難しく、配置には無駄が生じやすく不経済なものになりやすい。また、断面形状が円形の場合、私有地境界線等において改良体が境界線を越えて侵入し、問題となるケースも生じている。
【考案の開示】
【考案が解決しようとする課題】
【０００３】  地中に硬化剤を噴射して地中に改良体を形成する技術は、わが国でも３０年を超える歴史を有し、地下を開削することなく地上から管を挿入するだけで地下の所定箇所周辺を改良できる技術として多用されてきた技術である。そして現在、地中に硬化剤を噴射して地盤と混練して地中に改良体を形成する技術は、ロッドの先端に設けた一箇所ないしは数箇所のノズルから硬化剤を噴射しながらロッドを回転させるもので、その理論からも、改良体の断面形状は通常円形となっている。昨今ロッドを揺動可能な方式として、改良体の断面形状を半円もしくは扇形にできるものも一部あるものの、断面形状が円形の改良体を補完するための形状として、円形のものと組み合わせて使われる例が殆どであった。しかしながら断面形状が円形の改良体の場合、また面形状が円形の改良体と断面形状が扇形の改良体を併用した場合でも、設計の制約による周辺改良不要地盤へ改良体がはみ出すケースや隣接した改良体同士の重複部がかなり生じるケースも多く、経済的にも不経済である上、環境面からも好ましくない問題と言える。また、私有地境界線等においての固結体造成では、円形断面の固結体が計画以上に境界線を越えて問題となるケースも生じている。今後、経済的かつ環境に配慮して都市部の地下開発を効率よく行うために、また地下工事のうちシールド工事の様な曲線改良部等の施工にも経済的に適応するためにも、新しい改良体の形状および組合せが待ち望まれている。
【課題を解決するための手段】
【０００４】  そこで、本考案は、上記の事情に鑑み、新しい改良体の形状および組合せとして、硬化剤液又は硬化剤を含む水の高圧ジェットを地中に挿入したロッド先端部のノズルから噴射しながらロッドを揺動し、ロッドを引き抜くか挿入することによって地中に形成される改良体において、一辺の距離をａとした正三角形を２個乃至は４個内接配置され、断面形状が所定半径ａで内角が略１２０度乃至は略２４０度の扇形改良体を複数個直線または曲線の所定方向に配置した改良体の形状および組合せとした。【０００５】  また、本考案は、ロッド先端部に設けた一個または複数個のノズルから所定方向に硬化剤液又は硬化剤を含む水の高圧ジェットを噴射する手段と、所定の角度および所定の速度でロッドを揺動、旋回する手段と、ロッドを所定速度で地中に挿入および引き抜く手段を有し、かつ、ロッドを揺動して断面形状が所定半径ａの内角が略１２０度乃至は略２４０度の扇形改良体を形成する際に、一辺の距離をａとした正三角形を２個乃至は４個内接配置して改良域とし、かつ複数個の内角が略１２０度乃至は略２４０度の扇形改良体が直接または曲線の所定方向に配置されることを特徴とする改良体の形状および組合せの形成装置とした。
【考案を実施するための最良の形態】
【０００６】  本考案は、硬化剤液又は硬化剤を含む水の高圧ジェットを地中に挿入したロッド先端部のノズルから噴射しながらロッドを引き抜くか挿入することによって地中に形成される改良体の形状および組合せにおいて、ロッドを揺動して断面形状が所定半径ａの内角が略１２０度乃至は略２４０度の扇形改良体を造成する際に、一辺の距離をａとした正三角形を２個乃至は４個内接配置して改良域とすることと、かつこれらを複数個、直線または曲線の所定方向に配置するものであり、本考案の実施にあたっては、ロッド先端部に設けた一個または複数個のノズルから所定方向に硬化剤液又は硬化剤を含む水の高圧ジェットを噴射する手段と、所定の角度および所定の速度でロッドを揺動、旋回する手段と、ロッドを所定速度で地中に挿入および引き抜く手段を有し、その他本考案を実施できる機能を有した形成装置を用いて、所定の地盤に設計通りの改良体の形状および組合せを実施するものである。
以下本考案を、添付する図面に示す具体的な実施例に基づいて、詳細に説明する。
【実施例１】
【０００７】  図１に本考案の実施に用いる装置の一例を示す。内部に多孔を有するロッド１の先端部にノズル２が１個もしくは複数個設けられており、ロッド１は造成マシン３によって旋回および所定角度揺動される。
【実施例２】
【０００８】  図１の装置を用いて形成された断面形状が半径ａの内角が略１２０度の扇形改良体５を図２に示した。内角が略１２０度の扇形改良体５には一辺の距離をａとした正三角形を２個内接配置して正三角形の改良域７としている。
【実施例３】
【０００９】  図１の装置を用いて造成された断面形状が半径ａの内角が略２４０度の扇形改良体６を図３に示した。内角が略２４０度の扇形改良体６には一辺の距離をａとした正三角形を４個内接配置して正三角形の改良域７としている。
【実施例４】
【００１０】  図４に図２の内角が略１２０度の扇形改良体５を複数個直線に配置した例を示した。内角略１２０度の扇形改良体５を複数個直線に接合して組合せることにより、正三角形の改良域７は接合されて所定の大きさの四角形改良域を形成している。また、隣接する内角略１２０度の扇形改良体５同士の重複部は非常に少ない特徴を有している。施工順は左側より始め、右側へと隣接して順次形成する。
【実施例５】
【００１１】  図５に図３の内角が略２４０度の扇形改良体６を複数個曲線に配置した例を示した。内角が略２４０度の扇形改良体６を複数個所定の曲線に接合して組合せることにより、所定の幅を有する曲線改良域を形成できる。また、曲線配置の場合も隣接する内角が略２４０度の扇形改良体６同士の重複部が非常に少なく、無駄のない施工が出来る特徴を有している。施工順は右上側より始め、左下側へと隣接して順次形成する。尚、内角が略２４０度の扇形改良体６は直線に組合せても隣接する内角が略２４０度の扇形改良体６同士の重複部が非常に少ない特徴を有している。
【実施例６】
【００１２】  従来の円形改良体８と本考案による内角が略２４０度の扇形改良体６を、それぞれ同面積分を最大限無駄なく接続配置した例を図６と図７に示した。図６の円形改良体８では、その形状から、必要改良域の形状に組合せて配置した場合、隣接する円形改良体８同士の重複部や周辺改良不要地盤への固改良体配置など無駄な改良部分が生じ易い。一方、図７の内角が略２４０度の扇形改良体６では、必要改良域の形状に合わせた無駄のない配置が可能で、隣接する内角が略２４０度の扇形改良体６同士の重複部や周辺改良不要地盤への改良体配置などによる無駄な改良部分が生じにくく、経済的で環境に優しい形成が可能である。
【実施例７】
【００１３】  本考案に用いるロッド１の断面形状は円形もしくは角形であり、多孔を有するものなどを用い、その孔数などは使用環境に応じて増減することができる。また、本考案は垂直方向に限らず、斜め方向、水平方向にも使用することができる。【００１４】  正三角形の改良域７は、内角が略１２０度の扇形改良体５および内角が略２４０度の扇形改良体６を用いて、様々な形状の改良域を効率よく配置する際に効果的である。
【考案の効果】
【００１５】  本考案は、硬化剤液又は硬化剤を含む水の高圧ジェットを地中に挿入したロッド先端部のノズルから噴射しながらロッドを揺動し、ロッドを引き抜くか挿入することによって地中に形成される改良体において、一辺の距離をａとした正三角形を２個乃至は４個内接配置され、断面形状が所定半径ａで内角が略１２０度乃至は略２４０度の扇形改良体を複数個直線または曲線の所定方向に配置した改良体の形状および組合せとした。
【００１６】  また、本考案は、ロッド先端部に設けた一個または複数個のノズルから所定方向に硬化剤液又は硬化剤を含む水の高圧ジェットを噴射する手段と、所定の角度および所定の速度でロッドを揺動、旋回する手段と、ロッドを所定速度で地中に挿入および引き抜く手段を有し、かつ、ロッドを揺動して断面形状が所定半径ａの内角が略１２０度乃至は略２４０度の扇形改良体を形成する際に、一辺の距離をａとした正三角形を２個乃至は４個内接配置して改良域とし、かつ複数個の内角が略１２０度乃至は略２４０度の扇形改良体が直線または曲線の所定方向に配置されることを特徴とする改良体の形状および組合せの形成装置とした。
【図面の簡単な説明】
【００１７】
【図１】本発明の実施例の装置の正面図である。
【図２】本発明の実施例の平面図である。
【図３】本発明の実施例の平面図である。
【図４】本発明の実施例の平面図である。
【図５】本発明の実施例の平面図である。
【図６】従来の技術の実施例の平面図である。
【図７】本発明の実施例の平面図である。
【符号の説明】
【００１８】１…ロッド
２…ノズル
３…造成マシン
４…対象地盤
５…内角が略１２０度の扇形改良体
６…内角が略２４０度の扇形改良体
７…正三角形の改良域
８…円形改良体
【図１】
0003115498.tif 000003
【図２】
0003115498.tif 000004
【図３】
0003115498.tif 000005
【図４】
0003115498.tif 000006
【図５】
0003115498.tif 000007
【図６】
0003115498.tif 000008
【図７】
0003115498.tif 000009